(57)【要約】      （修正有）【課題】本発明は、堅牢でありながら組付が容易な穀物乾燥機におけるファンボックスを提供する。【解決手段】ファンボックスは上下面の各プレートと、これら各プレート以外の立面プレートからなり、さらに、前記立面プレートは、排風ファン取付用開口部を有する中央立面プレートと、右側面を含む右立面プレートと左側面を含む左立面プレートとからなり、これら左右の立面プレートは前記中央立面プレートを挟み、かつ、互いの横方向の長さを異にしたことを特徴とする。【選択図】図４
2019074241.tif 000002
【特許請求の範囲】
【請求項１】
上部に穀物貯留部を設け、その下部に穀物乾燥部を配設し、前記穀物乾燥部から排出される穀物を前記穀物貯留部に循環させるバケットエレベータを付設し、前記穀物乾燥部には前記穀物貯留部から流下する穀物に熱風を通風するための乾燥室を多孔壁によって形成し、該乾燥室に熱風を通風する熱風室と、前記乾燥室を通過した前記熱風が流入する排風室を形成するとともに、前記熱風室の一端側には熱風生成装置を、前記排風室の、前記熱風生成装置の反対側の終端部には排風ファンをそれぞれ設け、前記排風ファンは、前記排風室の終端部と連通する矩形のファンボックスに設けた排風ファン取付用開口部に装着してなる穀物乾燥機において、
前記ファンボックスは上下面の各プレートと、これら各プレート以外の立面プレートからなり、さらに、前記立面プレートは、前記排風ファン取付用開口部を有する中央立面プレートと、右側面を含む右立面プレートと左側面を含む左立面プレートとからなり、これら左右の立面プレートは前記中央立面プレートを挟み、かつ、互いの横方向の長さを異にしたことを特徴とする穀物乾燥機のファンボックス。
【請求項２】
前記各立面プレートの各上下左右端縁部には該各端縁を折り返して折曲部を形成するとともに、前記各立面プレートの互いに隣接する各左右端縁部には前記折曲部を含んだフランジ部を更に形成し、前記各立面プレートの各上下端縁部と前記上下面プレート及び隣接する前記フランジ部同士を互いに組み合わせて楔着してなる請求項1の穀物乾燥機のファンボックス。
【請求項３】
前記排風ファン取付用開口部は、前記中央立面プレートの中心より偏心した位置に開口してなる請求項１又は２の穀物乾燥機のファンボックス。
【発明の詳細な説明】
【技術分野】
【０００１】
本発明は、収穫直後の米麦等を乾燥する穀物乾燥機に係り、特に、排風ファンを装着するためのファンボックスに関する。
【背景技術】
【０００２】
従来、この種の穀物乾燥機においては、穀物乾燥部の前面側に操作部やバーナボックスを設けるとともに同背面側に吸引式の排風ファンを設け、前記穀物乾燥部に上載する穀物貯留部から間欠的に流下する穀物に対し、前記バーナボックス内のバーナによって生成される熱風を熱風室から通風させる一方、前記穀物に通風した熱風を、排風室を介して前記排風ファンによって機外へ排風するよう形成される。また、前記穀物乾燥部から排出される穀物を前記穀物貯留部へ還流させたり、乾燥の完了した穀物を機外へ排出させたりするための昇降機（バケットエレベータ）が前記バーナボックスに隣接して立設される（特許文献１参照）。            
【０００３】
前述のように、昇降機が穀物乾燥機の前面側に設けられている場合、穀物乾燥機を格納・設置する農舎の構造等により、前記昇降機からの穀物の排出方向が、例えば農舎の奥側（入口に対向する側）に限られるなどの場合に、昇降機が農舎の奥側になるように前記穀物乾燥機の本体をその場で回転させるとともに、バーナボックス及び操作部が農舎の入口側になるよう、前記バーナボックス及び操作部と排風ファン及びファンボックスとを組み替えることが行われる（特許文献１の００１９及び図３参照）。その際、図８で示すように、前記排風ファンと前記昇降機との抵触を回避するため、前記排風ファンを装着するための前記ファンボックス１５０のファン取付用開口部１５１は、前記ファンボックス１５０の中心から左右方向にずれて開口されている（図８において右側にずれている）。
【先行技術文献】
【特許文献】
【０００４】
【特許文献１】特開２０１５−１６１４９５号公報
【０００５】
図８におけるファンボックス１５０は、前記穀物乾燥部における一対の排風室の両終端部に連通するようやや横長の矩形であって、前記穀物乾燥部の外壁面に密着して設けられ、その内部は空洞であるが、モータを備えた吸引ファンを装着するため、前記穀物乾燥部等の部材に比して堅牢に構成する必要がある。例えば、前記ファンボックス１５０は厚めの鋼板からなる上下のプレート１５１，１５２に両端側を折曲した側面プレート１５３とを組み合わせるとともに前記側面プレート１５３に複数の補強部材１５４を設け、これらを溶接により互いに固着させていた。そのため、前記ファンボックスは重量が大きくなり、穀物乾燥機設置時の組立作業時の労力が大きく、特に、大型の穀物乾燥機におけるファンボックス１５０の組付の容易化が望まれていた。
【発明の概要】
【発明が解決しようとする課題】
【０００６】
本発明は、上記問題点にかんがみ、堅牢でありながら組付が容易な穀物乾燥機におけるファンボックスを提供することを目的とする。
【課題を解決するための手段】
【０００７】
上記目的を達成するため、請求項１の発明は、
上部に穀物貯留部を設け、その下部に穀物乾燥部を配設し、前記穀物乾燥部から排出される穀物を前記穀物貯留部に循環させるバケットエレベータを付設し、前記穀物乾燥部には前記穀物貯留部から流下する穀物に熱風を通風するための乾燥室を多孔壁によって形成し、該乾燥室に熱風を通風する熱風室と、前記乾燥室を通過した前記熱風が流入する排風室を形成するとともに、前記熱風室の一端側には熱風生成装置を、前記排風室の、前記熱風生成装置の反対側の終端部には排風ファンをそれぞれ設け、前記排風ファンは、前記排風室の終端部と連通する矩形のファンボックスに設けた排風ファン取付用開口部に装着してなる穀物乾燥機において、
前記ファンボックスは上下面の各プレートと、これら各プレート以外の立面プレートからなり、さらに、前記立面プレートは、前記排風ファン取付用開口部を有する中央立面プレートと、右側面を含む右立面プレートと左側面を含む左立面プレートとからなり、これら左右の立面プレートは前記中央立面プレートを挟み、かつ、互いの横方向の長さを異にしたことを特徴とする。
【０００８】
また、前記各立面プレートの各上下左右端縁部には該各端縁を折り返して折曲部を形成するとともに、前記各立面プレートの互いに隣接する各左右端縁部には前記折曲部を含んだフランジ部を更に形成し、前記各立面プレートの各上下端縁部と前記上下面プレート及び隣接する前記フランジ部同士を互いに組み合わせて楔着することが好ましい。
【０００９】
さらに、前記排風ファン取付用開口部は、前記中央立面プレートの中心より偏心した位置に開口するとよい。
【発明の効果】
【００１０】
本発明の穀物乾燥機におけるファンボックスによれば、ファンボックスを、上下面の各プレート、右立面プレート、左立面プレート及び中央立面プレートに分割したため、穀松乾燥機の組立の際のファンボックスの搬入が容易になり、また、補強部材がないためファンボックス全体の重量を軽減できた。
【００１１】
請求項２に記載された発明によれば、前記立面プレートの上下左右端縁部には折曲部を形成し、立面プレートの互いに隣接する各左右端縁部には前記折曲部を含んだフランジ部を更に形成し、前記各立面プレートの各上下端縁部と前記上下面プレート及び隣接する前記フランジ部同士を互いに組み合わせて楔着したので、従来の補強部材を用いなくても、また、比較的薄めの鋼板であっても強度を保持することが可能となった。
【００１２】
請求項３に記載の発明によれば、中央立面プレートのみを上下を反転するだけで排風方向を上下方向に変更することができる。
【図面の簡単な説明】
【００１３】
【図１】穀物乾燥機の側面図である。
【図２】同縦断面図である。
【図３】本実施の形態におけるファンボックスの斜視図である。
【図４】同ファンボックスを構成する各プレートを分割した状態を示す斜視図である。
【図５】図３における断面Ａ-Ａを示す拡大図である。
【図６】図３における断面Ｂ-Ｂを示す拡大図である。
【図７】前記ファンボックスを構成する中央立面プレートの拡大斜視図である。
【図８】従来のファンボックスを示す斜視図である。
【発明を実施するための形態】
【００１４】
以下、本発明の実施の形態を図面に基づいて説明する。
本発明の実施の形態における穀物乾燥機１は、穀物を貯留する穀物貯留部２を上部に、その下部に、熱風室４、排風室及び穀物乾燥室６を有する穀物乾燥部３をそれぞれ配設してなる。そして、穀物乾燥機１の前面側には操作部７とバーナボックス８が一体的に設けられ、それらに隣接してバケットエレベータ９が立設される（図１参照）。
【００１５】
次に、図２を参照しながら  前記穀物乾燥部３について説明する。
前記穀物貯留部２から流下する穀物が通過する一対の穀物乾燥室６が通気性のある多孔壁部材により形成され、これら一対の穀物乾燥室６によって囲繞される空間を熱風室４となし、該熱風室４の一端には前記バーナーボックス８が配設される。前記バーナーボックス８内部には、灯油式バーナー等による熱風生成装置(図示せず。)が設けられる。また、前記一対の穀物乾燥室６の前記熱風室４の各外側には、前記熱風室４から前記穀物乾燥室６を通過した熱風を回収する一対の排風室５を形成する。該一対の排風室４の前記バーナーボックス８と反対側の端部にはそれぞれ排風口１４が開口されるとともに、これら一対の排風口１４を覆うように、詳細は後述する、やや横長形状のファンボックス１５が設けられる。さらに、前記ファンボックス１５には吸引式の排風ファン１７が装着され、該排風ファン１７の駆動により、前記熱風生成装置で生成された熱風と外気とが混合された熱風が、熱風室４から穀物乾燥室６を通過して排風室５に流入した後、排風口１４及びファンボックス１５を経由して前記排風ファン１７から機外へ排風されるよう構成される。  
【００１６】
前記一対の穀物乾燥室６は断面がＶ字状に形成され、該穀物乾燥室６の各下端部には、図外のモータにより駆動する共通の操出バルブ１０が横設される。前記操出バルブ１０の下方には漏斗状の集穀ホッパ１１が設けられ、該集穀ホッパ１１の底部には、前記操出バルブ１０から繰り出される穀物を排出するため、本機モータ１６によって駆動する下部スクリューコンベア１２が横設される。また、前記下部スクリューコンベア１２の搬送終端部と接続して前記バケットエレベータ９が立設される。前記バケットエレベータ９の吐出部に接続する上部スクリューコンベア２２が前記穀物貯留部２の天板部に横設される。前記上部スクリューコンベア１４と前記バケットエレベータ９を駆動させる昇降機用モータ９ａが前記バケットエレベータ９の上部に取り付けられる。さらに、前記上部スクリューコンベア１４から排出される穀物を前記穀物貯留部２内へ均等に投入するための回転分散盤１３が、前記穀物貯留部２の天板部から垂下して設けてある。前記回転分散盤１３は前記上部スクリューコンベア１４とべベルギア等を介して連動させることができる。
【００１７】
次に、図３乃至６に基づいて、本発明実施形態におけるファンボックス１５について説明する。図３はファンボックス１５の全体を示す斜視図、図４は図３におけるファンボックス１５を構成する各プレートごとに分割した斜視図、図５は図３におけるＡＡ断面図、図６は同ＢＢ断面図である。
前記ファンボックス１５は、やや横長で底の浅い箱形形状であり、内部は空洞で前面の略中央部に排風ファン１７を取り付けるための排風ファン取付用開口部１８を有している。図４に示すように、前記ファンボックス１５は、細長形状の上面プレート１９及び下面プレート２０と、これら上下一対の上・下面プレート１９，２０にその上下の端部を接する３つの立面プレートからなる。前記上・下面プレート１９，２０には該ファンボックス１５を穀物乾燥部３に当接する際の断面Ｌ字型の取付フランジ１９ａ，２０ａが形成され、前記上面プレート１９の取付フランジ１９ａには複数のボルト孔１９ｂが設けてある。また、前記上・下面プレート１９，２０の取付フランジ１９ａ，２０ａの反対側の端縁部には適宜間隔に楔着用孔２５が設けてある。
【００１８】
前記３つの立面プレートは、該ファンボックス１５に向かって左側の左立面プレート２１、同右側の右立面プレート２２及びこれらの各プレートに挟まれる中央立面プレート２３であり、これら３つの立面プレート２１〜２３の各上下左右の端縁部は、折り返して二重構造の折曲部２４としてなる（図５,６参照）。そして、前記左立面プレート２１の左側端部は略直角に更に折り曲げて該ファンボックス１５の左側面２１ａとなすとともに、前記右立面プレート２２の右側端部は更に略直角に折り曲げて該ファンボックス１５の右側面２２ａとなす。なお、、前記左立面プレート２１の横幅は前記右立面プレート２２の横幅よりも２００ｍｍ程度大きく形成される。これは、前述したように、バーナボックス及び操作部と、排風ファン及びファンボックスとを組み替える際、前記排風ファンと昇降機との抵触を回避するためである。
【００１９】
前記左立面プレート２１と前記右立面プレート２２との間に設けられる中央立面プレート２３には排風ファン取付用開口部１８が開口される。この開口位置は、該中央立面プレート２３の中心部からやや下方側にずらせてあり、前記排風ファン取付用開口部１８の周縁部には排風ファン１７を装着するための埋込みボルト１８ａが複数設けてある。
【００２０】
前記立面プレート２１,２２,２３の各上下端縁部は、それぞれ折曲部２４を更に内方側へ直角に折り曲げてＬ型フランジ２１ｂ，２２ｂ，２３ｂとなすとともに、これらのＬ型フランジ２１ｂ，２２ｂ，２３ｂには前記上・下面プレート１９，２０の端縁部に設けた複数の楔着用孔２５と合致する位置で楔着用孔２５が設けてある。そして、前記左立面プレート２１の右側端縁部及び前記右立面プレート２２の左側端縁部を更に直角に折り曲げることによって、それぞれクランク型フランジ２１ｃ，２２ｃを形成し、各クランク型フランジ２１ｃ，２２ｃには適宜間隔で楔着用孔２５を設ける。
【００２１】
前記中央立面プレート２３の左右の端縁部には前記折曲部２４を更に巻き込むように断面が凵形の溝型フランジ２３ｃを形成し、これらの溝型フランジ２３ｃに、前記左・右の立面プレート２１，２２の各クランク型フランジ２１ｃ，２２ｃに設けた楔着用孔２５と合致する位置に楔着用孔２５を設ける。
【００２２】
前記各プレート１９〜２３を組み合わせてファンボックス１５を組み立てる際は、図５で示すように、前記中央立面プレート２３の左側の溝型フランジ２３ｃの背面に左立面プレート２１のクランク型フランジ２１ｃの前側面を当接させるよう組み合わせるとともに、前記各フランジ２３ｃ，２１ｃに設けた各楔着用孔２５どうしを合致させ、該ファンボックス１５の外側から楔着用孔２５に楔ホルダ２６を挿通させるとともに楔２７で前記両フランジ２１ｃ，２３ｃを楔着する。前記楔ホルダ２６は楔２７が挿通可能に断面Ｕ字状となし、端部には楔着用孔２５の長さ寸法よりも大きい長さの係止部２６ａを有し、該係止部２６ａが楔着用孔２５の周縁に係止する。このように、前記中央立面プレート２３の溝型フランジ２３ｃの底部において楔着することにより該楔が溝型フランジ２３ｃ内部に収納される形となって無駄な出っ張りがなく、すっきりとした外観となる。
【００２３】
次に、前記中央立面プレート２３の右側の溝型フランジ２３ｃと前記右立面プレート２２のクランク型フランジ２２ｃとを組み合わせ、前述した要領で両プレート２３，２２を楔着する。そして、３つの立面プレート２１〜２３どうしを一体的に楔着した後、各立面プレート２１〜２３の上端縁部のＬ型フランジ２１ｂ，２２ｂ，２３ｂを前記上面プレート１９の端縁部に上方から当接させ互いの楔着用孔２５どうしを合致させて楔ホルダ２６及び楔２７によって楔着する。同様にして、各立面プレート２１〜２３の下端縁部のＬ型フランジ（図示せず）を前記下面プレート２０の端縁部に下方から当接させて楔着する。
なお、前記上・下面プレート１９，２０には、前記中央立面プレート２３の左右側の溝型フランジ２３ｃ及びこれらと組み合わせる左・右立面プレート２１，２のクランク型フランジ２１ｃ，２２ｃが嵌入する凹部１９ｃ，２０ｃが２か所ずつ設けてある。
【００２４】
以上のようにして、前記各プレートどうしを楔着することによって一体的に組み立てたファンボックス１５を穀物乾燥部３の背面壁に取り付ける際は、前記下面プレート２０のＬ型の取付フランジ２０ａを前記背面壁に設けた係止部（図示せず）に係止させるとともに、前記上面プレート１９の取付フランジ１９ａに設けたボルト孔１９ｂからボルトを挿通し、前記背面壁に設けた埋め込みナット（図示せず）によって螺着する。次いで、排風ファン１７を前記中央立面プレート２３の排風ファン取付用開口部１８に埋め込みボルト１８ａによって螺着する。
【００２５】
前述したように、ファンボックス１５とバーナボックス８とを入れ替えた場合や排風方向を左右いずれかにずらしたい場合は、該ファンボックス１５を上下反転して付け替えることになるが、その際、更に排風方向を上下方向にずらしたい場合は、図７で示すように、前記中央立面プレート２３のみを外して上下反転させることにより、容易に位置調整が可能となる。また、本実施の形態では、前記排風ファン取付用開口部１８を中央立面プレート２３の中心部から下方にずらせて設けたが、中央立面プレート２３を正方形とし、かつ、排風ファン取付用開口部１８を中央立面プレート２３の中心部から任意に偏心させて設けることにより、該中央立面プレートを９０℃ずつ回転させて排風ファン取付用開口部１８の位置を変更することができる。
【産業上の利用可能性】
【００２６】
本発明の穀物乾燥機におけるファンボックスは、組立時や組替時の作業が容易になるとともに製造上のコスト安にもなり、有用である。
【符号の説明】
【００２７】
１  穀物乾燥機      
２  穀物貯留部      
３  穀物乾燥部    
４  熱風室      
５  排風室
６  穀物乾燥室
７  操作部
８  バーナーボックス
９  バケットエレベータ
９ａ  昇降機用モータ
１０  操出バルブ
１１  集穀ホッパ
１２  下部スクリューコンベア
１３  回転分散盤
１４  上部スクリューコンベア  
１５  ファンボックス
１６  本機モータ
１７  排風ファン
１８  排風ファン取付用開口部
１８ａ  埋め込みボルト
１９  上面プレート
１９ａ  取付フランジ
１９ｂ  ボルト孔
１９ｃ  凹部
２０  下面プレート
２０ａ  取付フランジ
２０ｃ  凹部
２１  左立面プレート
２１ａ  左側面
２１ｂ  Ｌ型フランジ
２１ｃ  クランク型フランジ
２２  右立面プレート
２２ａ  右側面
２２ｂ  Ｌ型フランジ
２２ｃ  クランク型フランジ
２３  中央立面プレート
２３ｂ  Ｌ型フランジ
２３ｃ  溝型フランジ
２４  折曲部
２５  楔着用孔
２６  楔ホルダ
２６ａ  係止部
２７  楔
【図１】
2019074241.tif 000003
【図２】
2019074241.tif 000004
【図３】
2019074241.tif 000005
【図４】
2019074241.tif 000006
【図５】
2019074241.tif 000007
【図６】
2019074241.tif 000008
【図７】
2019074241.tif 000009
【図８】
2019074241.tif 000010